(57)【特許請求の範囲】
【請求項１】
先行掘削溝にコンクリートを打設して先行エレメントを構築し、次いで、これに隣接して後行掘削溝を形成し、その後、該後行掘削溝にコンクリートを打設して後行エレメントを構築することにより、地中に連続壁体を構築する工法であって、前記先行エレメントのコンクリート打設に先立ち、先行掘削溝の端部に仕切り板を設置して先行工区と後行工区とを仕切り、仕切られた内側にコンクリートを打設し、次いでコンクリート硬化後に仕切り板を引抜き、その後、後行工区の掘削溝形成後にコンクリートを打設して後行エレメントを打ち継ぐようにした地中連続壁工法において、
コンクリート硬化後に仕切り板を引き抜きつつ、地表部側で操作されるジャッキの往復動作に連動させて前記仕切り板の下部中空内部に後行工区側に向けて出没可能に設けられた破砕爪を後行工区側に回り込んだコンクリート塊側に出没させて破砕することを特徴とする地中連続壁工法における回り込みコンクリートの破砕方法。
【請求項２】
掘削溝幅、掘削深さ、および適宜の厚み寸法に形成された内部中空のケーシングと、ケーシングの頂部に配置された複数のジャッキと、ジャッキの下部にあって、ケーシングの中空内部に垂設されたジャッキロッドと、ジャッキロッドの下端に連動してケーシングの前面に開けられた開口より揺動可能に突出する破砕爪とを備えたことを特徴とする地中連続壁工法における先行工区と後行工区とを仕切るための仕切り板。
【請求項３】
掘削溝幅、掘削深さ、および適宜の厚み寸法に形成された内部中空のケーシングと、ケーシング内に縦列配置された複数のジャッキと、各ジャッキのジャッキロッド先端に連動してケーシングの前面より揺動可能に突出する破砕爪とを備えたことを特徴とする地中連続壁工法における先行工区と後行工区とを仕切るための仕切り板。
【発明の詳細な説明】
【０００１】
【発明の属する技術分野】
本発明は、先行工区の端部を仕切り板で仕切り、その内部にコンクリートを打設する地中連続壁において、特に仕切り板の周囲、外側に回り込んだコンクリートを破砕することのできる仕切り板に関する。
【０００２】
【従来の技術】
地中連続壁は、構築方向に所定の間隔をおいて、ほぼ矩形状の先行掘削溝を掘削壁面の崩落防止用安定液を満たしながら形成し、掘削溝内にコンクリートを打設して先行エレメントを構築し、次いで、これに隣接して後行掘削溝を形成し、その後、掘削溝にコンクリートを打設して後行エレメントを構築することにより、順次先行エレメントと後行エレメントとを打ち継いだ連続壁体を地中内部に構築する工法である。
【０００３】
この際、先行エレメントのコンクリート打設に先立ち、先行掘削溝の端部にインターロッキングパイプや、仕切板などの仕切り材を設置して先行工区と後行工区とを仕切り、仕切られた内側の先行溝内に鉄筋籠を建込んだ後にコンクリートを打設し、コンクリート硬化後に仕切り材を引抜くことで先行エレメントを構築し、次いで後行工区の掘削溝形成後に鉄筋籠を建込み、コンクリートを打設して後行エレメントを打ち継ぐ。
【０００４】
【発明が解決しようとする課題】
しかしながら、この工法では、掘削地盤が礫質や崩壊性地盤の場合、仕切り材による仕切りは完全でなく、打設したコンクリートが仕切り材の周囲や外側の地盤との間に回り込み、一体に固まるため、この回り込んだコンクリート塊により、以下のような不具合が生じていた。
【０００５】
（１）回り込みコンクリート塊を地盤中に残したまま後行エレメント部の掘削を行うと、地盤掘削と同時に硬質のコンクリート塊を削り取ることになるため、後行工区の掘削能率が低下する。
【０００６】
この問題に関し、仕切り材としてインターロッキングパイプを使用している場合には、引抜き後の孔に油圧ジャッキを配置し、このジャッキによりコンクリートを破砕しつつ掘削を行うことができる。
【０００７】
しかし、仕切り材として仕切り板を使用している場合は、仕切り板そのものが厚み方向の幅に制約があるため、油圧ジヤッキを水平配置するほどの隙間ができないため、油圧ジャッキによる破砕は狭すぎて不可能な場合もある。このため、残置されたコンクリートごと地盤を掘削せざるを得ず、例えば、掘削機としてハイドロフレーズカッターを用いる場合には、回り込みコンクリート塊を削り落としながら時間をかけて掘削し、また掘削機としてケリーグラブなどを用いた場合には、チョッピング動作を何度も繰返して地盤中に残置されたコンクリートをはつり取りながら掘削を行う必要があった。
【０００８】
さらに場合によっては、ロックオーガ等の大型重機を別途調達して撤去する必要も生じており、いずれの場合でも、工期及び工費増になっていた。
【０００９】
（２）コンクリートが仕切り材の周辺に回り込んでおり、仕切り材そのものの引抜き時の摩擦抵抗が大きく、引抜きの際には大型で強力な重機を調達する必要があり、前記と同様に工期及び工費増の原因となっていた。
【００１０】
本発明は、以上の課題を解決するものであり、その目的は、回り込みコンクリートの破砕を行うことができるとともに、回り込みコンクリートを破砕することによって、引抜き抵抗の低減を図ると同時に、後行掘削溝の掘削能率を向上させることが可能な地中連続壁工法における回り込みコンクリートの破砕方法を提供するものである。
【００１１】
【課題を解決するための手段】
以上の目的を達成するため、本発明方法は、先行掘削溝にコンクリートを打設して先行エレメントを構築し、次いで、これに隣接して後行掘削溝を形成し、その後、該後行掘削溝にコンクリートを打設して後行エレメントを構築することにより、地中に連続壁体を構築する工法であって、前記先行エレメントのコンクリート打設に先立ち、先行掘削溝の端部に仕切り板を設置して先行工区と後行工区とを仕切り、仕切られた内側にコンクリートを打設し、次いでコンクリート硬化後に仕切り板を引抜き、その後、後行工区の掘削溝形成後にコンクリートを打設して後行エレメントを打ち継ぐようにした地中連続壁工法において、コンクリート硬化後に仕切り板を引き抜きつつ、地表部側で操作されるジャッキの往復動作に連動させて前記仕切り板の下部中空内部に後行工区側に向けて出没可能に設けられた破砕爪を後行工区側に回り込んだコンクリート塊側に出没させて破砕することを特徴とするものである。
【００１２】
破砕爪が仕切り板の下部中空内部に後行工区側に向けて出没可能に設けられていることにより、仕切り板を引き抜きつつ、回り込みコンクリートを破砕することができ、仕切り板引抜き時の摩擦抵抗を低減できる。
【００１３】
また、本発明の地中連続壁工法における先行工区と後行工区とを仕切るための仕切り板は、掘削溝幅、掘削深さ、および適宜の厚み寸法に形成された内部中空のケーシングと、ケーシングの頂部に配置された複数のジャッキと、ジャッキの下部にあって、ケーシングの中空内部に垂設されたジャッキロッドと、ジャッキロッドの下端に連動してケーシングの前面に開けられた開口より揺動可能に突出する破砕爪とを備えたことを特徴とするものである。
【００１４】
また、本発明の地中連続壁工法における先行工区と後行工区とを仕切るための仕切り板は、掘削溝幅、掘削深さ、および適宜の厚み寸法に形成された内部中空のケーシングと、ケーシング内に縦列配置された複数のジャッキと、各ジャッキのジャッキロッド先端に連動してケーシングの前面より揺動可能に突出する破砕爪とを備えた構成も採用できる。
【００１５】
【発明の実施の形態】
以下、本発明の好ましい実施の形態につき、添付図面を参照して詳細に説明する。図１は本発明の第一実施形態による破砕装置を備えた仕切り板１を示す。仕切り板１は、前後板２，３と、両側面板４、地板５および天板６の組立による掘削溝幅、溝深さにほぼ等しい幅、および高さ寸法であって、厚みの薄い内部中空のパネル状となっている。
【００１６】
この仕切り板１に組み込まれた破砕機構７は、天板６の頂部に幅方向に沿って配置された三つのセンターホールジャッキ８と、各ジャッキ８の下部にあって、仕切り板１の内側下部に垂設されたジャッキロッド９と、各ジャッキロッド９の下端に連繋して、前板２の下部開口面２ａの前面に出没可能に突出する破砕爪１０とからなっている。
【００１７】
破砕爪１０は、図の一部に拡大して示すように、前板２の内側に設けられた軸受に軸１１を介して揺動可能に支持されている。一方、ジャッキロッド９の下端には軸１２により逆テーパ状の摺接子１４が連結され、前記破砕爪１０の背面に摺接し、その上下動に応じて破砕爪１０を軸１１を中心に回動可能としており、ジャッキロッド９の下降位置では破砕爪１０は前板２と面一となり、この状態からジャッキロッド９が上昇すると、突出する動作を繰り返す。
【００１８】
図２は、以上の破砕機構７を備えた仕切り板１の引抜き時の作業形態を示しており、地表部において、仕切り板１全体はクレーン１５にワイヤを介して連結され、また、破砕機構７は油圧駆動ユニット１６に油圧ホースなどを介して接続されている。
【００１９】
先行工区に建て込まれた仕切り板１の後面には、先行エレメントを構成するコンクリートＣが打設されており、また前面には回り込んだコンクリート塊Ｃ１が位置している。
【００２０】
そこで、ジャッキ８を駆動することにより破砕爪１０を前板２から突出させる。破砕爪１０の突出時には、仕切り板１はコンクリートＣ側に反力をとって支持され、破砕爪１０の繰返し突出動作により、回り込みコンクリート塊Ｃ１は押圧され、破砕される。
【００２１】
すなわち、（ａ）に示すように、ユニット１６の駆動によって破砕爪１０を揺動操作しつつ、この操作に連繋して（ｂ）に示すように、順次クレーン１５を引上げることによって、仕切り板１の前面および周囲の回り込みコンクリート塊Ｃ１は下部から順に破砕され、仕切り板１を引抜く。
【００２２】
このとき、本実施の形態において、破砕爪１０による破砕箇所は三カ所に局限されるが、このひびは図３（ａ）に示すように各部に伝播され、引抜き完了時には（ｂ）に示すように、全体がバラバラの瓦礫状となって地盤内の土に混在する。従って、その後に後行工区を掘削する場合には、通常の掘削機で掘削しても大きな掘削抵抗を生ずることなく、能率的な掘削作業が行われることになる。
【００２３】
図４は、本発明にかかる仕切り板の第二実施形態を示す。なお、前記第一実施形態と同一箇所には同一符号を付し、異なる箇所にのみ異なる符号を用いて説明する。
【００２４】
図において破砕爪１０は、仕切り板１内に軸１１を介して揺動可能に支持されているとともに、一端をジャッキロッド９の下端に連結された平リンクレバー２０の他端側に連結し、ジャッキロッド９の上下動作に伴い往復揺動し、仕切り板１の前面に出没を繰返し、前記と同様に破砕装置１の前面に位置する回り込みコンクリート塊Ｃ１を破砕し、それ自体の引抜き抵抗の減少を図るとともに、後行工区の掘削作業の能率化を図るようにしている。
【００２５】
なお、本実施形態では、レバー２０のレバー比に応じて限られた空間内での破砕爪１０のストロークを大きく取ることができる。
【００２６】
図５は、本発明の仕切り板の第三実施形態を示している。図において、この破砕装置４０は、そのケーシング４１が前後板４２，４３、側板４４、地板４５および天板４６からなり、天板４６の上部に吊下げ用のブラケット４８を一体化した中空パネル状となっている。
【００２７】
そして、このケーシング４１内の内底部に幅方向に三つの油圧ジャッキ４９を配置し、その上部に突出するジャッキロッド５０の上端を前板４２の内側に設けた破砕爪５１に連繋させている。
【００２８】
各破砕爪５１は前板４２の内側に軸５２を介して揺動可能に軸支され、その前面の開口４２ａより出没可能となっている。また、この破砕爪５１の背面には前記ジャッキロッド５０の上端に一体化されたテーパ状の摺動子５３に摺接し、ジャッキロッド５０の上下往復移動によって前板４２より出没動作し、これによって地盤中に残置された回り込みコンクリート塊を破砕する。
【００２９】
【発明の効果】
以上の説明により明らかなように、本発明による地中連続壁工法における回り込みコンクリートの破砕方法にあっては、回り込みコンクリート塊の破砕を行うことができ、その後の掘削作業を効率よく行うことができる。また、仕切り板を引抜きつつ回り込みコンクリート塊を破砕することにより、引抜き抵抗を低減することができる。
【図面の簡単な説明】
【図１】  本発明の第一実施形態による仕切り板の正面図および側断面図である。
【図２】  （ａ），（ｂ）は仕切り板の破砕機構の作業形態を示す縦断面説明図である。
【図３】  （ａ），（ｂ）は仕切り板の破砕機構による破砕終了後の地盤形態を示す平断面説明図である。
【図４】  本発明の第二実施形態による仕切り板の正面図および側断面図である。
【図５】  本発明の第三実施形態による仕切り板の正面図および側断面図である。
【符号の説明】
１  仕切り板
７  破砕機構
８，４９  ジャッキ
９，５０  ジャッキロッド
１６  油圧駆動ユニット
１０，５１  破砕爪
【図１】
0003952587.tif 000002
【図２】
0003952587.tif 000003
【図３】
0003952587.tif 000004
【図４】
0003952587.tif 000005
【図５】
0003952587.tif 000006